(57)【要約】  波長合分波フィルタ９，１０及び光波長帯域制限フィルタ１１，１２を取り付けるフィルタ取付面２１，２２，２６，２３が施され、かつ、そのフィルタ取付面に光信号を導く穴が施されているフィルタホルダ２０が筐体１に組み込まれ、その波長合分波フィルタ９，１０及び光波長帯域制限フィルタ１１，１２がフィルタホルダ２０に施されているフィルタ取付面２１，２２，２６，２３に取り付けられているように構成する。
2010140186.tif 000002
【特許請求の範囲】
【請求項１】
電気信号を光信号に変換して、上記光信号を送信する光送信モジュールと、光信号を受信して、上記光信号を電気信号に変換する光受信モジュールと、光ファイバと接続されているファイバフェルールと、上記光送信モジュールから送信された光信号を上記ファイバフェルールの端面側に透過させる一方、上記ファイバフェルールの端面から出射された光信号を上記光受信モジュール側に反射させる波長合分波フィルタと、上記波長合分波フィルタと上記光受信モジュールの間に設置される光波長帯域制限フィルタと、上記光送信モジュール、上記光受信モジュール、上記波長合分波フィルタ、上記光波長帯域制限フィルタ及び上記ファイバフェルールを実装する筐体とを備えた光送受信モジュールにおいて、上記波長合分波フィルタ及び上記光波長帯域制限フィルタを取り付ける取付面が施され、かつ、上記取付面に光信号を導く穴が施されているフィルタホルダが上記筐体に組み込まれ、上記波長合分波フィルタ及び上記光波長帯域制限フィルタが上記フィルタホルダに施されている取付面に取り付けられていることを特徴とする光送受信モジュール。
【請求項２】
フィルタホルダにおける波長合分波フィルタ及び光波長帯域制限フィルタの取付面に凹部又は凸部が施されており、上記凹部又は上記凸部の少なくとも一辺の幅が、上記波長合分波フィルタ及び上記光波長帯域制限フィルタの幅と同等であることを特徴とする請求項１記載の光送受信モジュール。
【発明の詳細な説明】
【技術分野】
【０００１】
この発明は、ＦＴＴＢ（Ｆｉｂｅｒ  Ｔｏ  Ｔｈｅ  Ｂｕｉｌｄｉｎｇ）などの光加入者システムや、ＦＴＴＨ（Ｆｉｂｅｒ  Ｔｏ  Ｔｈｅ  Ｈｏｍｅ）等で、最大伝送速度１ギガビット／秒もしくは２．５ギガビット／秒の伝送速度のインターネットサービスを加入者に提供する光加入者アクセスネットワークシステムであるＧＥＰＯＮシステム（Ｇｉｇａｂｉｔ  Ｅｔｈｅｒｎｅｔ  Ｐａｓｓｉｖｅ  Ｏｐｔｉｃａｌ  Ｎｅｔｗｏｒｋ  Ｓｙｓｔｅｍ／Ｅｔｈｅｒｎｅｔは登録商標（以下、省略して記載））を構成する加入者側光回線終端装置（ＯＮＵ：Ｏｐｔｉｃａｌ  Ｎｅｔｗｏｒｋ  Ｕｎｉｔ）内に搭載される光送受信モジュールに関するものである。
【背景技術】
【０００２】
ＧＥＰＯＮシステムは、センター局に設置される局側光回線終端装置（ＯＬＴ：Ｏｐｔｉｃａｌ  Ｌｉｎｅ  Ｔｅｒｍｉｎａｌ）と、伝送路を最大３２本に分岐させる光分岐器と、加入者宅内に設置される加入者側光回線終端装置とから構成される。
ＧＥＰＯＮシステムでは、加入者側光回線終端装置から局側光回線終端装置に伝送される上りのデジタルデータ信号には、１３１０ｎｍ帯の波長が割り当てられ、局側光回線終端装置から加入者側光回線終端装置に伝送される下りのデジタルデータ信号（デジタル音声信号を含む）には１４９０ｎｍ帯の波長が割り当てられ、下りの映像用信号（アナログビデオ信号を含む）には１５５０ｎｍ帯の波長が割り当てられる。【０００３】
また、ＧＥＰＯＮシステムでは、将来の技術革新を見据えて、１５６５ｎｍ以上の波長帯を１０ギガビット／秒の速度で伝送するデジタルデータ信号用の波長に割り当てることが従来から検討されており、また、１５６５ｎｍ以上の波長帯は、局側光回線終端装置と加入者側光回線終端装置の間を接続している伝送路光ファイバの断線を調査する光波長帯としても利用されている。
このように、ＧＥＰＯＮシステムでは、複数の波長が割り当てられる波長多重方式（ＷＤＭ：Ｗａｖｅｌｅｎｇｔｈ  Ｄｉｖｉｓｉｏｎ  Ｍｕｌｔｉｐｌｅｘｉｎｇ）を使用して、一本の光ファイバで上り波長と下り波長を伝送する一芯双方向光通信を行うものである。【０００４】
ただし、ＧＥＰＯＮシステムでは、加入者側光回路終端装置が、下りのデジタルデータ信号の波長と、下りの映像用信号の波長との間で、混信（クロストーク）を招くことがないようにする目的で、混信防止用の光波長帯域制限フィルタを具備する必要がある。
即ち、加入者側光回路終端装置に搭載される光送受信モジュールが混信防止用の光波長帯域制限フィルタを具備する必要がある。【０００５】
光波長帯域制限フィルタの光波長帯域制限性能は、一般的に、フィルタへの光入射角度依存性が大きい。
即ち、光入射角度成分が多くなると、それぞれの光入射角度成分に応じた重ね合わせの光波長帯域制限性能となる。
特に、受信波長帯同士の波長間隔が狭い場合、本来的には、通過させたい波長帯の光信号を阻止してしまう一方、制限したい波長帯を通過させてしまって、光波長帯域制限性能を十分に発揮することができない。
このため、光受信信号の混信（クロストーク）の要求性能が高い光波長帯域制限フィルタは、光入射角度成分を少なくすることができる平行光学系で使用されることが多く、拡散光学系で使用されることは少ない。ただし、平行光学系は、後述するように、構成が複雑である。【０００６】
光波長帯域制限フィルタへの光入射角度は、光ファイバとの取り付け角度によるズレ、波長合分波フィルタ（ＷＤＭＦ：Ｗａｖｅｌｅｎｇｔｈ  Ｄｉｖｉｓｉｏｎ  Ｍｕｌｔｉｐｌｅｘｉｎｇ  Ｆｉｌｔｅｒ）との取り付け角度によるズレ、光波長帯域制限フィルタ自体の取り付け角度によるズレなどに依存性している。
なお、光波長帯域制限フィルタへの光入射角度を測定することは不可能であるため、構造設計における設計保証範囲内での角度ズレ量を考慮して、光送受信モジュールの設計を行う必要がある。【０００７】
ＧＥＰＯＮシステムでは、上述したように、加入者側光回路終端装置に搭載される光送受信モジュールが混信防止用の光波長帯域制限フィルタを具備する必要があるが、以下の特許文献１に開示されている光送受信モジュールでは、波長合分波フィルタを用いて、複数の波長の光信号を分離多重することで、一芯双方向光通信を実現している。
しかし、この光送受信モジュールでは、単に波長合分波フィルタと光ファイバの間にレンズ結合光学素子が接続されているだけであるため、下りのデジタルデータ信号の光波長及び映像用信号の光波長の近傍に隣接する光波長が存在するＧＥＰＯＮシステムには適用することができない。【０００８】
光波長帯域制限フィルタの光波長帯域制限性能を保持して、光受信信号の混信（クロストーク）を防止するには、光送受信モジュールの内部を平行光学系（コリメート光学系）に変換するコリメーティング光学機器等を設置して、平行光学系で光波長帯域制限フィルタを使用すれば、光波長帯域制限フィルタの光波長帯域性能を発揮することができる。
しかしながら、平行光学系では、部品点数が増えて、複雑な構成を取ることが問題となる。【０００９】
また、拡散光学系において、光波長帯域制限フィルタへの光入射角度を高精度で管理することができれば、光波長帯域制限性能を向上させることは可能である。
しかしながら、光入射角度を調整するには、高度な調芯技術が必要である。
【先行技術文献】
【特許文献】
【００１０】
【特許文献１】特表２００３−５２４７８９号公報
【発明の概要】
【００１１】
従来の光送受信モジュールは以上のように構成されているので、コリメーティング光学機器を設置して、平行光学系を適用すれば、光波長帯域制限フィルタの十分な光波長帯域制限性能を確保することが容易であるが、部品点数が多くなり、構成が複雑になってしまう課題があった。
一方、拡散光学系において、光波長帯域制限フィルタへの光入射角度を高精度で管理することができれば、光波長帯域制限性能を向上させることが可能であるが、光入射角度を調整するには、高度な調芯技術が必要となる課題があった。
【００１２】
この発明は上記のような課題を解決するためになされたもので、複雑な平行光学系を用いることなく、また、拡散光学系において、高度な調芯技術を用いることなく、所望の光波長帯域制限性能を確保することができる光送受信モジュールを得ることを目的とする。
【００１３】
この発明に係る光送受信モジュールは、波長合分波フィルタ及び光波長帯域制限フィルタを取り付ける取付面が施され、かつ、その取付面に光信号を導く穴が施されているフィルタホルダが筐体に組み込まれ、その波長合分波フィルタ及び光波長帯域制限フィルタが上記フィルタホルダに施されている取付面に取り付けられているようにしたものである。
【００１４】
この発明によれば、波長合分波フィルタ及び光波長帯域制限フィルタを取り付ける取付面が施され、かつ、その取付面に光信号を導く穴が施されているフィルタホルダが筐体に組み込まれ、その波長合分波フィルタ及び光波長帯域制限フィルタが上記フィルタホルダに施されている取付面に取り付けられているように構成したので、各フィルタ間の相対位置が高精度に決まるようになり、その結果、複雑な平行光学系を用いることなく、また、拡散光学系において、高度な調芯技術を用いることなく、所望の光波長帯域制限性能を確保することができる効果がある。
【図面の簡単な説明】
【００１５】
【図１】この発明の実施の形態１による光送受信モジュールを示す構成図である。
【図２】この発明の実施の形態１による光送受信モジュールの筐体に組み込まれるフィルタホルダを示す構成図である。
【図３】この発明の実施の形態１による光送受信モジュールの筐体に組み込まれるフィルタホルダを示す構成図である。
【図４】筐体に対するフィルタホルダの組み込み方法を示す説明図である。
【図５】真上から見たフィルタホルダを示す説明図である。
【図６】筐体に対するフィルタホルダの組み込み方法を示す説明図である。
【図７】筐体に対するフィルタホルダのネジ止めを示す説明図である。
【図８】筐体に設けられている回転止めピンによるフィルタホルダの固定を示す説明図である。
【図９】さぐり部が設けられているフィルタ取付面を示す説明図である。
【図１０】この発明の実施の形態２による光送受信モジュールの筐体に組み込まれるフィルタホルダを示す構成図である。
【図１１】この発明の実施の形態２による光送受信モジュールの筐体に組み込まれるフィルタホルダを示す構成図である。
【発明を実施するための形態】
【００１６】
以下、この発明をより詳細に説明するために、この発明を実施するための形態について、添付の図面に従って説明する。
実施の形態１．
図１はこの発明の実施の形態１による光送受信モジュールを示す構成図である。図１の光送受信モジュールは、加入者側光回線終端装置に実装される装置である。
図１において、筐体１は光送受信モジュールの構成部品である光送信モジュール２、光受信モジュール３，４などを接着や溶接等の手段で実装し、フィルタホルダ２０（図２及び図３を参照）が組み込まれる。
光送信モジュール２は上りのデジタルデータ信号である電気信号を１３１０ｎｍ帯の波長の光信号に変換して、その光信号を集光レンズ８に出力するモジュールである。
集光レンズ８は光送信モジュール２から出力された光信号を集光して、その光信号を波長合分波フィルタ９に出力する部材である。
【００１７】
光受信モジュール３は波長合分波フィルタ９により反射された光信号のうち、光波長帯域制限フィルタ１１を通過してきた光信号（下りのデジタルデータ信号である１４９０ｎｍ帯の波長の光信号）を受信して、その光信号を電気信号に変換するモジュールである。
光受信モジュール４は波長合分波フィルタ１０により反射された光信号のうち、光波長帯域制限フィルタ１２を通過してきた光信号（下りの映像用信号である１５５０ｎｍ帯の波長の光信号）を受信して、その光信号を電気信号に変換するモジュールである。
【００１８】
図１では、光送信モジュール２により送信される光信号が１３１０ｎｍ帯の波長の光信号、光受信モジュール３により受信される光信号が１４９０ｎｍ帯の波長の光信号、光受信モジュール４により受信される光信号が１５５０ｎｍ帯の波長の光信号である例を示しているが、これは一例に過ぎず、それぞれの波長帯の光信号が他の波長帯の光信号であってもよいことは言うまでもない。
【００１９】
ファイバフェルール５は端面が斜めにカットされており（例えば、ファイバフェルール５の端面は８度程度の斜めカットが施されている）、図中、波長合分波フィルタ１０の右隣に固定されている。
光ファイバ６は一端がコネクタ７と接続されて、他端がファイバフェルール５と接続されており、波長合分波フィルタ１０を透過してきた１３１０ｎｍ帯の波長の光信号を伝送してコネクタ７側に出力する一方、コネクタ７側から入射された１４９０ｎｍ帯の波長の光信号（局側光回線終端装置から送信された光信号）と、１５５０ｎｍ帯の波長の光信号（局側光回線終端装置から送信された光信号）とを伝送して波長合分波フィルタ１０側に出力する光伝送路である。
コネクタ７は光ファイバ６の一端が接続され、かつ、シングルモードファイバの一端が接続される接続部材である。なお、シングルモードファイバの他端は、局側光回線終端装置と接続されている。
【００２０】
波長合分波フィルタ９は光送信モジュール２から送信された１３１０ｎｍ帯の波長の光信号を波長合分波フィルタ１０側に透過させる一方、波長合分波フィルタ１０を透過してきた１４９０ｎｍ帯の波長の光信号を光受信モジュール３側に反射させる波長分離多重フィルタである。
波長合分波フィルタ１０は波長合分波フィルタ９を透過してきた１３１０ｎｍ帯の波長の光信号をファイバフェルール５の端面側に透過させるとともに、ファイバフェルール５の端面から出射された１４９０ｎｍ帯の波長の光信号を波長合分波フィルタ９側に透過させる一方、ファイバフェルール５の端面から出射された１５５０ｎｍ帯の波長の光信号を光受信モジュール４側に反射させる波長分離多重フィルタである。
【００２１】
光波長帯域制限フィルタ１１は波長合分波フィルタ９と光受信モジュール３の間に設置され、通過帯が１４９０ｎｍ帯の波長に設定されているフィルタである。
光波長帯域制限フィルタ１２は波長合分波フィルタ１０と光受信モジュール４の間に設置され、通過帯が１５５０ｎｍ帯の波長に設定されているフィルタである。
【００２２】
フィルタホルダ２０は波長合分波フィルタ９，１０及び光波長帯域制限フィルタ１１，１２を取り付ける取付面が施され（図２のフィルタホルダ２０では、光波長帯域制限フィルタ１１を取り付ける取付面が施されていないが、図３のフィルタホルダ２０では、光波長帯域制限フィルタ１１を取り付ける取付面も施されている）、かつ、その取付面に光信号を導く穴が施されている部材であり、フィルタホルダ２０は筐体１に組み込まれる。
【００２３】
図２はこの発明の実施の形態１による光送受信モジュールの筐体１に組み込まれるフィルタホルダ２０を示す構成図である。
図２において、フィルタ取付面２１は波長合分波フィルタ９を取り付ける取付面である。
フィルタ取付面２２は波長合分波フィルタ１０を取り付ける取付面である。
フィルタ取付面２３は光波長帯域制限フィルタ１２を取り付ける取付面である。
【００２４】
光通路２４は光送信モジュール２から送信された１３１０ｎｍ帯の波長の光信号を波長合分波フィルタ９が取り付けられるフィルタ取付面２１に導くために施されている穴である。
光通路２５はファイバフェルール５の端面から出射された１４９０ｎｍ帯の波長の光信号及び１５５０ｎｍ帯の波長の光信号を波長合分波フィルタ１０が取り付けられるフィルタ取付面２２に導くとともに、波長合分波フィルタ１０により反射された１５５０ｎｍ帯の波長の光信号を光波長帯域制限フィルタ１２が取り付けられるフィルタ取付面２３に導くために施されている穴である。
また、光通路２５は波長合分波フィルタ１０を透過した１３１０ｎｍ帯の波長の光信号をファイバフェルール５の端面に導くための穴でもある。
【００２５】
ただし、図２のフィルタホルダ２０は、３枚のフィルタを取り付けるものであるため、光波長帯域制限フィルタ１１を取り付けることができない。
このため、光波長帯域制限フィルタ１１を実装するには、例えば、筐体１もしくは光受信モジュール３に接着や溶接等の手段で固定する必要があるので、図２のフィルタホルダ２０は、光波長帯域制限フィルタ１１を実装する必要がある光送受信モジュールにはあまり適していない（図２のフィルタホルダ２０は、光波長帯域制限フィルタ１１を実装する必要がない光送受信モジュールに適している）。
これに対して、図３に示すフィルタホルダ２０は、４枚のフィルタを取り付けるものであり、光波長帯域制限フィルタ１１も取り付けることができるため、光波長帯域制限フィルタ１１を実装する必要がある光送受信モジュールに適している。
図３において、フィルタ取付面２６は光波長帯域制限フィルタ１１を取り付ける取付面である。
【００２６】
ここで、筐体１に対するフィルタホルダ２０の組み込み方法を説明する。
図４は筐体１に対するフィルタホルダ２０の組み込み方法を示す説明図であり、図５は真上から見たフィルタホルダ２０を示す説明図である。
図５において、面２７はフィルタホルダ２０に施されている光通路２４の端部である。
面２８はファイバフェルール５を挿入するための穴が施されているとともに光通路２５の端部である。
【００２７】
まず、筐体１の一つの面（図４の例では、筐体１の上面）には、筒状の穴１ａが施されており、また、筐体１の内部には、穴１ａの直径より一回り小さい同心円状の穴１ｂが施されている。ただし、穴１ａは、図４に示すように、下部ほど直径が小さく、傾斜部が施されている。
直径が異なる２つの穴１ａ，１ｂによって、筐体１の内部に段部が形成されるため、２つの穴１ａ，１ｂの形状は、概ねボルトに似たものとなる。
【００２８】
フィルタホルダ２０は、筐体１に施されている穴１ａ，１ｂに組み込むものであるため（図４の例では、筐体１の上部から下方向にフィルタホルダ２０を圧入している）、フィルタホルダ２０の形状は、２つの穴１ａ，１ｂの形状に合わせて形成されている。
即ち、フィルタホルダ２０の上部は、斜面構造を有する円盤形状をなしており、フィルタホルダ２０の下部は、筒形状をなしている。
【００２９】
筐体１に対するフィルタホルダ２０の圧入は、フィルタホルダ２０の上部を形成している円盤形状の下端部が、筐体１の内部の段部に当たる位置まで行われる。
即ち、フィルタホルダ２０の上部を形成している円盤形状の下端部が、筐体１の内部の段部に当たった位置で止まり、フィルタホルダ２０の位置が決まる。
【００３０】
また、フィルタホルダ２０の上部における円盤形状と、筐体１に施されている穴１ａには、図５に示すように、円周上の一部にＤカット（同一長さの直線部分）が設けられている。
このため、フィルタホルダ２０を筐体１に圧入する際、双方のＤカットが自然にならう位置で、互いの位置が決まるため、フィルタホルダ２０を高精度に筐体１に組み込むことができる。
また、フィルタホルダ２０の上部における円盤形状と、筐体１に施されている穴１ａには、上述したように、斜面部が施されているので、フィルタホルダ２０を筐体１に圧入する際、双方の傾斜部同士がならう位置で高精度に位置が決まる。
【００３１】
以上で明らかなように、この実施の形態１によれば、波長合分波フィルタ９，１０及び光波長帯域制限フィルタ１１，１２を取り付けるフィルタ取付面２１，２２，２６，２３が施され、かつ、そのフィルタ取付面に光信号を導く穴が施されているフィルタホルダ２０が筐体１に組み込まれ、その波長合分波フィルタ９，１０及び光波長帯域制限フィルタ１１，１２がフィルタホルダ２０に施されているフィルタ取付面２１，２２，２６，２３に取り付けられているように構成したので、各フィルタ間の相対位置が高精度に決まるようになり、その結果、複雑な平行光学系を用いることなく、また、拡散光学系において、高度な調芯技術を用いることなく、所望の光波長帯域制限性能を確保することができる効果を奏する。
【００３２】
即ち、この実施の形態１によれば、光ファイバ６により伝送される光信号と密接に関連する全てのフィルタが、１つのフィルタホルダ２０に取り付けられるため、各フィルタ間の相対角度の精度を高めることができる。
また、フィルタホルダ２０を筐体１に組み込むようにしているので、個々のフィルタと筐体１の関係で位置決め精度を高めるのではなく、１つのフィルタホルダ２０と筐体１の関係で位置決め精度を高めれば、各フィルタ間の相対位置が高精度に決まるとともに、各フィルタと光ファイバの相対位置が高精度に決まるようになる。
【００３３】
なお、この実施の形態１では、フィルタホルダ２０の上部における円盤形状と、筐体１に施されている穴１ａには、円周上の一部にＤカット（同一長さの直線部分）が設けられているものを示したが、Ｄカットの代わりに、フィルタホルダの円周上の一部に切り欠き部を設け、それと同一形状の突起部が筐体に設けられていてもよい。
この場合も、フィルタホルダ２０を筐体１に圧入する際、フィルタホルダの切り欠き部が自然にならう位置で、互いの位置が決まるため、フィルタホルダ２０を高精度に筐体１に組み込むことができる。
【００３４】
また、この実施の形態１では、筐体１の上面に穴１ａが施され、筐体１の内部に穴１ｂが施されているものを示したが、図６に示すように、筐体１の下面にも穴１ｃ（フィルタホルダ２０の下部における筒形状と嵌合する穴）を施すことで、フィルタホルダ２０が筐体１に圧入されたとき、フィルタホルダ２０の下部における筒形状が、筐体１の下面の穴１ｃと嵌合するようにしてもよい。
この場合、フィルタホルダ２０の軸の傾きを抑制することができる。
【００３５】
また、この実施の形態１では、フィルタホルダ２０を筐体１に圧入することで、フィルタホルダ２０を筐体１に組み込むものについて示したが、図７に示すように、筐体１に対するフィルタホルダ２０の位置決めをした後に、フィルタホルダ２０を筐体１にネジ止めするようにしてもよい。
また、このとき、筐体１に対するフィルタホルダ２０の高精度の位置決めを可能にするため、図８に示すように、筐体１に回転止めピン１ｄを設け、フィルタホルダ２０を筐体１に組み込む際、その回転止めピン１ｄでフィルタホルダ２０を固定する（フィルタホルダ２０に設けられている穴２０ａに回転止めピン１ｄを通す）ようにしてもよい。
【００３６】
この実施の形態１では、波長合分波フィルタ９，１０及び光波長帯域制限フィルタ１１，１２をフィルタホルダ２０のフィルタ取付面２１，２２，２６，２３に取り付けるものについて示したが、波長合分波フィルタ９，１０及び光波長帯域制限フィルタ１１，１２をフィルタ取付面２１，２２，２６，２３に取り付ける際、接着剤で固定する場合、接着剤の量が多すぎると、余剰の接着剤が光通路２４，２５を塞いでしまったり、フィルタが浮いてしまったりすることがある。
そこで、図９に示すように、フィルタホルダ２０のフィルタ取付面２１，２２，２６，２３に、さぐり部２９を設けておき、余剰の接着剤がさぐり部２９に流れ込むようにしてもよい。
余剰の接着剤がさぐり部２９に流れ込むことで、均一な接着厚を得ることができる。
【００３７】
この実施の形態１では、１個の光送信モジュールと２個の光受信モジュールが筐体１に実装されているものついて示したが、２個以上の光送信モジュールと３個以上の光受信モジュールが筐体１に実装されていてもよい。
なお、２個以上の光送信モジュールと３個以上の光受信モジュールが筐体１に実装される場合には、波長合分波フィルタ及び光波長帯域制限フィルタについても３個以上実装される。
【００３８】
この実施の形態１では、一つのフィルタホルダ２０を筐体１に組み込むものについて示したが、光送信モジュールや光受信モジュールの個数が増えた場合は、それに比例してフィルタの枚数も増える。
この場合、複数のフィルタホルダ２０を連結して、一体物として、筐体１に組み込むことで、この実施の形態１と同様の効果を奏することができる。
【００３９】
実施の形態２．
図１０及び図１１はこの発明の実施の形態２による光送受信モジュールの筐体１に組み込まれるフィルタホルダ２０を示す構成図であり、図において、図２及び図３と同一符号は同一又は相当部分を示すので説明を省略する。
ただし、図１０のフィルタホルダ２０は３枚のフィルタを取り付けるタイプであり、図１１のフィルタホルダ２０は４枚のフィルタを取り付けるタイプである。
【００４０】
凹部３１は少なくとも一辺の幅が、波長合分波フィルタ９の幅と同等であり、フィルタホルダ２０における波長合分波フィルタ９のフィルタ取付面２１に施されている。
凹部３２は少なくとも一辺の幅が、波長合分波フィルタ１０の幅と同等であり、フィルタホルダ２０における波長合分波フィルタ１０のフィルタ取付面２２に施されている。
凹部３３は少なくとも一辺の幅が、光波長帯域制限フィルタ１２の幅と同等であり、フィルタホルダ２０における光波長帯域制限フィルタ１２のフィルタ取付面２３に施されている。
凹部３４は少なくとも一辺の幅が、光波長帯域制限フィルタ１１の幅と同等であり、フィルタホルダ２０における光波長帯域制限フィルタ１１のフィルタ取付面２６に施されている。
【００４１】
上記実施の形態１では、波長合分波フィルタ９，１０及び光波長帯域制限フィルタ１１，１２をフィルタホルダ２０のフィルタ取付面２１，２２，２６，２３に取り付けるものについて示したが、図１０及び図１１に示すように、フィルタホルダ２０のフィルタ取付面２１，２２，２６，２３に、少なくとも一辺の幅が波長合分波フィルタ９，１０及び光波長帯域制限フィルタ１１，１２の幅と同等である凹部３１，３２，３４，３３を施すようにしてもよい。
【００４２】
フィルタホルダ２０のフィルタ取付面２１，２２，２６，２３に凹部３１，３２，３４，３３を施すことで、フィルタ取付面２１，２２，２６，２３に対する波長合分波フィルタ９，１０及び光波長帯域制限フィルタ１１，１２の位置決めが高精度になるため、各フィルタ間の相対位置が更に高精度に決まる。その結果、複雑な平行光学系を用いることなく、また、拡散光学系において、高度な調芯技術を用いることなく、所望の光波長帯域制限性能を確保することができる効果を奏する。
また、フィルタホルダ２０のフィルタ取付面２１，２２，２６，２３に凹部３１，３２，３４，３３を施すことで、筐体１に対する波長合分波フィルタ９，１０及び光波長帯域制限フィルタ１１，１２の取り付け位置が明確になるため、組立性が向上し、安価な光送受信モジュールを得ることができる。
【００４３】
この実施の形態２では、フィルタホルダ２０のフィルタ取付面２１，２２，２６，２３に凹部３１，３２，３４，３３が施されているものについて示したが、その凹部３１，３２，３４，３３の代わりに、少なくとも一辺の幅が波長合分波フィルタ９，１０及び光波長帯域制限フィルタ１１，１２の幅と同等である凸部をフィルタホルダ２０のフィルタ取付面２１，２２，２６，２３に施すようにしてもよい。
【産業上の利用可能性】
【００４４】
この発明は、光送受信モジュールを加入者側光回線終端装置に搭載する際、所望の光波長帯域制限性能を確保する必要があるものに適している。
【図１】
2010140186.tif 000003
【図２】
2010140186.tif 000004
【図３】
2010140186.tif 000005
【図４】
2010140186.tif 000006
【図５】
2010140186.tif 000007
【図６】
2010140186.tif 000008
【図７】
2010140186.tif 000009
【図８】
2010140186.tif 000010
【図９】
2010140186.tif 000011
【図１０】
2010140186.tif 000012
【図１１】
2010140186.tif 000013
【手続補正書】
【提出日】平成22年4月27日(2010.4.27)
【手続補正１】
【補正対象書類名】明細書
【補正対象項目名】全文
【補正方法】変更
【補正の内容】
【発明の詳細な説明】
【技術分野】
【０００１】
この発明は、ＦＴＴＢ（Ｆｉｂｅｒ  Ｔｏ  Ｔｈｅ  Ｂｕｉｌｄｉｎｇ）などの光加入者システムや、ＦＴＴＨ（Ｆｉｂｅｒ  Ｔｏ  Ｔｈｅ  Ｈｏｍｅ）等で、最大伝送速度１ギガビット／秒もしくは２．５ギガビット／秒の伝送速度のインターネットサービスを加入者に提供する光加入者アクセスネットワークシステムであるＧＥＰＯＮシステム（Ｇｉｇａｂｉｔ  Ｅｔｈｅｒｎｅｔ  Ｐａｓｓｉｖｅ  Ｏｐｔｉｃａｌ  Ｎｅｔｗｏｒｋ  Ｓｙｓｔｅｍ／Ｅｔｈｅｒｎｅｔは登録商標（以下、省略して記載））を構成する加入者側光回線終端装置（ＯＮＵ：Ｏｐｔｉｃａｌ  Ｎｅｔｗｏｒｋ  Ｕｎｉｔ）内に搭載される光送受信モジュールに関するものである。
【背景技術】
【０００２】
ＧＥＰＯＮシステムは、センター局に設置される局側光回線終端装置（ＯＬＴ：Ｏｐｔｉｃａｌ  Ｌｉｎｅ  Ｔｅｒｍｉｎａｌ）と、伝送路を最大３２本に分岐させる光分岐器と、加入者宅内に設置される加入者側光回線終端装置とから構成される。
ＧＥＰＯＮシステムでは、加入者側光回線終端装置から局側光回線終端装置に伝送される上りのデジタルデータ信号には、１３１０ｎｍ帯の波長が割り当てられ、局側光回線終端装置から加入者側光回線終端装置に伝送される下りのデジタルデータ信号（デジタル音声信号を含む）には１４９０ｎｍ帯の波長が割り当てられ、下りの映像用信号（アナログビデオ信号を含む）には１５５０ｎｍ帯の波長が割り当てられる。
【０００３】
また、ＧＥＰＯＮシステムでは、将来の技術革新を見据えて、１５６５ｎｍ以上の波長帯を１０ギガビット／秒の速度で伝送するデジタルデータ信号用の波長に割り当てることが従来から検討されており、また、１５６５ｎｍ以上の波長帯は、局側光回線終端装置と加入者側光回線終端装置の間を接続している伝送路光ファイバの断線を調査する光波長帯としても利用されている。
このように、ＧＥＰＯＮシステムでは、複数の波長が割り当てられる波長多重方式（ＷＤＭ：Ｗａｖｅｌｅｎｇｔｈ  Ｄｉｖｉｓｉｏｎ  Ｍｕｌｔｉｐｌｅｘｉｎｇ）を使用して、一本の光ファイバで上り波長と下り波長を伝送する一芯双方向光通信を行うものである。
【０００４】
ただし、ＧＥＰＯＮシステムでは、加入者側光回路終端装置が、下りのデジタルデータ信号の波長と、下りの映像用信号の波長との間で、混信（クロストーク）を招くことがないようにする目的で、混信防止用の光波長帯域制限フィルタを具備する必要がある。
即ち、加入者側光回路終端装置に搭載される光送受信モジュールが混信防止用の光波長帯域制限フィルタを具備する必要がある。
【０００５】
光波長帯域制限フィルタの光波長帯域制限性能は、一般的に、フィルタへの光入射角度依存性が大きい。
即ち、光入射角度成分が多くなると、それぞれの光入射角度成分に応じた重ね合わせの光波長帯域制限性能となる。
特に、受信波長帯同士の波長間隔が狭い場合、本来的には、通過させたい波長帯の光信号を阻止してしまう一方、制限したい波長帯を通過させてしまって、光波長帯域制限性能を十分に発揮することができない。
このため、光受信信号の混信（クロストーク）の要求性能が高い光波長帯域制限フィルタは、光入射角度成分を少なくすることができる平行光学系で使用されることが多く、拡散光学系で使用されることは少ない。ただし、平行光学系は、後述するように、構成が複雑である。
【０００６】
光波長帯域制限フィルタへの光入射角度は、光ファイバとの取り付け角度によるズレ、波長合分波フィルタ（ＷＤＭＦ：Ｗａｖｅｌｅｎｇｔｈ  Ｄｉｖｉｓｉｏｎ  Ｍｕｌｔｉｐｌｅｘｉｎｇ  Ｆｉｌｔｅｒ）との取り付け角度によるズレ、光波長帯域制限フィルタ自体の取り付け角度によるズレなどに依存性している。
なお、光波長帯域制限フィルタへの光入射角度を測定することは不可能であるため、構造設計における設計保証範囲内での角度ズレ量を考慮して、光送受信モジュールの設計を行う必要がある。
【０００７】
ＧＥＰＯＮシステムでは、上述したように、加入者側光回路終端装置に搭載される光送受信モジュールが混信防止用の光波長帯域制限フィルタを具備する必要があるが、以下の特許文献１に開示されている光送受信モジュールでは、波長合分波フィルタを用いて、複数の波長の光信号を分離多重することで、一芯双方向光通信を実現している。
しかし、この光送受信モジュールでは、単に波長合分波フィルタと光ファイバの間にレンズ結合光学素子が接続されているだけであるため、下りのデジタルデータ信号の光波長及び映像用信号の光波長の近傍に隣接する光波長が存在するＧＥＰＯＮシステムには適用することができない。
【０００８】
光波長帯域制限フィルタの光波長帯域制限性能を保持して、光受信信号の混信（クロストーク）を防止するには、光送受信モジュールの内部を平行光学系（コリメート光学系）に変換するコリメーティング光学機器等を設置して、平行光学系で光波長帯域制限フィルタを使用すれば、光波長帯域制限フィルタの光波長帯域性能を発揮することができる。
しかしながら、平行光学系では、部品点数が増えて、複雑な構成を取ることが問題となる。
【０００９】
また、拡散光学系において、光波長帯域制限フィルタへの光入射角度を高精度で管理することができれば、光波長帯域制限性能を向上させることは可能である。
しかしながら、光入射角度を調整するには、高度な調芯技術が必要である。
【先行技術文献】
【特許文献】
【００１０】
【特許文献１】特表２００３−５２４７８９号公報
【発明の概要】
【発明が解決しようとする課題】
【００１１】
従来の光送受信モジュールは以上のように構成されているので、コリメーティング光学機器を設置して、平行光学系を適用すれば、光波長帯域制限フィルタの十分な光波長帯域制限性能を確保することが容易であるが、部品点数が多くなり、構成が複雑になってしまう課題があった。
一方、拡散光学系において、光波長帯域制限フィルタへの光入射角度を高精度で管理することができれば、光波長帯域制限性能を向上させることが可能であるが、光入射角度を調整するには、高度な調芯技術が必要となる課題があった。
【００１２】
この発明は上記のような課題を解決するためになされたもので、複雑な平行光学系を用いることなく、また、拡散光学系において、高度な調芯技術を用いることなく、所望の光波長帯域制限性能を確保することができる光送受信モジュールを得ることを目的とする。
【課題を解決するための手段】
【００１３】
この発明に係る光送受信モジュールは、第１波長帯の光信号を送信する光送信モジュールと、第２波長帯の光信号を受信する第１光受信モジュールと、第３波長帯の光信号を受信する第２光受信モジュールと、光ファイバと接続されているファイバフェルールと、上記光送信モジュールから送信された第１波長帯の光信号を上記ファイバフェルールの端面側へ透過させるとともに、上記ファイバフェルールの端面から出射された第２波長帯の光信号を透過させる一方、上記ファイバフェルール端面から出射された第３波長帯の光信号を上記第２光受信モジュール側へ反射させる第１波長合分波フィルタと、上記第１波長合分波フィルタと上記光送信モジュールの間に配置され、上記光送信モジュールから送信された第１波長帯の光信号を上記第１波長合分波フィルタ側へ透過させる一方、上記第１波長合分波フィルタを透過してきた第２波長帯の光信号を上記第１光受信モジュール側へ反射させる第２波長合分波フィルタと、上記第１波長合分波フィルタと上記第２光受信モジュールの間に配置される光波長帯域制限フィルタとを、一つの筐体に備える光送受信モジュールにおいて、上記筐体に組み込まれるフィルタホルダであって、上記第１波長合分波フィルタを取り付ける第１取付面、上記第２波長合分波フィルタを取り付ける第２取付面、及び上記光波長帯域制限フィルタを取り付ける第３取付面を有し、上記第１取付面と上記第２取付面とが当該両取付面に垂直な断面が略V字になるよう所定の角度で交わり、上記第３取付面が上記第１取付面の上記第２取付面と挟角をなす面の裏面側に位置するフィルタホルダを備えるようにしたものである。
【発明の効果】
【００１４】
この発明によれば、波長合分波フィルタ及び光波長帯域制限フィルタを取り付ける取付面が施され、かつ、その取付面に光信号を導く穴が施されているフィルタホルダが筐体に組み込まれ、その波長合分波フィルタ及び光波長帯域制限フィルタが上記フィルタホルダに施されている取付面に取り付けられているように構成したので、各フィルタ間の相対位置が高精度に決まるようになり、その結果、複雑な平行光学系を用いることなく、また、拡散光学系において、高度な調芯技術を用いることなく、所望の光波長帯域制限性能を確保することができる効果がある。
【図面の簡単な説明】
【００１５】
【図１】この発明の実施の形態１による光送受信モジュールを示す構成図である。
【図２】この発明の実施の形態１による光送受信モジュールの筐体に組み込まれるフィルタホルダを示す構成図である。
【図３】この発明の実施の形態１による光送受信モジュールの筐体に組み込まれるフィルタホルダを示す構成図である。
【図４】筐体に対するフィルタホルダの組み込み方法を示す説明図である。
【図５】真上から見たフィルタホルダを示す説明図である。
【図６】筐体に対するフィルタホルダの組み込み方法を示す説明図である。
【図７】筐体に対するフィルタホルダのネジ止めを示す説明図である。
【図８】筐体に設けられている回転止めピンによるフィルタホルダの固定を示す説明図である。
【図９】さぐり部が設けられているフィルタ取付面を示す説明図である。
【図１０】この発明の実施の形態２による光送受信モジュールの筐体に組み込まれるフィルタホルダを示す構成図である。
【図１１】この発明の実施の形態２による光送受信モジュールの筐体に組み込まれるフィルタホルダを示す構成図である。
【発明を実施するための形態】
【００１６】
以下、この発明をより詳細に説明するために、この発明を実施するための形態について、添付の図面に従って説明する。
実施の形態１．
図１はこの発明の実施の形態１による光送受信モジュールを示す構成図である。図１の光送受信モジュールは、加入者側光回線終端装置に実装される装置である。
図１において、筐体１は光送受信モジュールの構成部品である光送信モジュール２、光受信モジュール３，４などを接着や溶接等の手段で実装し、フィルタホルダ２０（図２及び図３を参照）が組み込まれる。
光送信モジュール２は上りのデジタルデータ信号である電気信号を１３１０ｎｍ帯の波長の光信号に変換して、その光信号を集光レンズ８に出力するモジュールである。
集光レンズ８は光送信モジュール２から出力された光信号を集光して、その光信号を波長合分波フィルタ９に出力する部材である。
【００１７】
光受信モジュール３は波長合分波フィルタ９により反射された光信号のうち、光波長帯域制限フィルタ１１を通過してきた光信号（下りのデジタルデータ信号である１４９０ｎｍ帯の波長の光信号）を受信して、その光信号を電気信号に変換するモジュールである。
光受信モジュール４は波長合分波フィルタ１０により反射された光信号のうち、光波長帯域制限フィルタ１２を通過してきた光信号（下りの映像用信号である１５５０ｎｍ帯の波長の光信号）を受信して、その光信号を電気信号に変換するモジュールである。
【００１８】
図１では、光送信モジュール２により送信される光信号が１３１０ｎｍ帯の波長の光信号、光受信モジュール３により受信される光信号が１４９０ｎｍ帯の波長の光信号、光受信モジュール４により受信される光信号が１５５０ｎｍ帯の波長の光信号である例を示しているが、これは一例に過ぎず、それぞれの波長帯の光信号が他の波長帯の光信号であってもよいことは言うまでもない。
【００１９】
ファイバフェルール５は端面が斜めにカットされており（例えば、ファイバフェルール５の端面は８度程度の斜めカットが施されている）、図中、波長合分波フィルタ１０の右隣に固定されている。
光ファイバ６は一端がコネクタ７と接続されて、他端がファイバフェルール５と接続されており、波長合分波フィルタ１０を透過してきた１３１０ｎｍ帯の波長の光信号を伝送してコネクタ７側に出力する一方、コネクタ７側から入射された１４９０ｎｍ帯の波長の光信号（局側光回線終端装置から送信された光信号）と、１５５０ｎｍ帯の波長の光信号（局側光回線終端装置から送信された光信号）とを伝送して波長合分波フィルタ１０側に出力する光伝送路である。
コネクタ７は光ファイバ６の一端が接続され、かつ、シングルモードファイバの一端が接続される接続部材である。なお、シングルモードファイバの他端は、局側光回線終端装置と接続されている。
【００２０】
波長合分波フィルタ９は光送信モジュール２から送信された１３１０ｎｍ帯の波長の光信号を波長合分波フィルタ１０側に透過させる一方、波長合分波フィルタ１０を透過してきた１４９０ｎｍ帯の波長の光信号を光受信モジュール３側に反射させる波長分離多重フィルタである。
波長合分波フィルタ１０は波長合分波フィルタ９を透過してきた１３１０ｎｍ帯の波長の光信号をファイバフェルール５の端面側に透過させるとともに、ファイバフェルール５の端面から出射された１４９０ｎｍ帯の波長の光信号を波長合分波フィルタ９側に透過させる一方、ファイバフェルール５の端面から出射された１５５０ｎｍ帯の波長の光信号を光受信モジュール４側に反射させる波長分離多重フィルタである。
【００２１】
光波長帯域制限フィルタ１１は波長合分波フィルタ９と光受信モジュール３の間に設置され、通過帯が１４９０ｎｍ帯の波長に設定されているフィルタである。
光波長帯域制限フィルタ１２は波長合分波フィルタ１０と光受信モジュール４の間に設置され、通過帯が１５５０ｎｍ帯の波長に設定されているフィルタである。
【００２２】
フィルタホルダ２０は波長合分波フィルタ９，１０及び光波長帯域制限フィルタ１１，１２を取り付ける取付面が施され（図２のフィルタホルダ２０では、光波長帯域制限フィルタ１１を取り付ける取付面が施されていないが、図３のフィルタホルダ２０では、光波長帯域制限フィルタ１１を取り付ける取付面も施されている）、かつ、その取付面に光信号を導く穴が施されている部材であり、フィルタホルダ２０は筐体１に組み込まれる。
【００２３】
図２はこの発明の実施の形態１による光送受信モジュールの筐体１に組み込まれるフィルタホルダ２０を示す構成図である。
図２において、フィルタ取付面２１は波長合分波フィルタ９を取り付ける取付面である。
フィルタ取付面２２は波長合分波フィルタ１０を取り付ける取付面である。
フィルタ取付面２３は光波長帯域制限フィルタ１２を取り付ける取付面である。
【００２４】
光通路２４は光送信モジュール２から送信された１３１０ｎｍ帯の波長の光信号を波長合分波フィルタ９が取り付けられるフィルタ取付面２１に導くために施されている穴である。
光通路２５はファイバフェルール５の端面から出射された１４９０ｎｍ帯の波長の光信号及び１５５０ｎｍ帯の波長の光信号を波長合分波フィルタ１０が取り付けられるフィルタ取付面２２に導くとともに、波長合分波フィルタ１０により反射された１５５０ｎｍ帯の波長の光信号を光波長帯域制限フィルタ１２が取り付けられるフィルタ取付面２３に導くために施されている穴である。
また、光通路２５は波長合分波フィルタ１０を透過した１３１０ｎｍ帯の波長の光信号をファイバフェルール５の端面に導くための穴でもある。
【００２５】
ただし、図２のフィルタホルダ２０は、３枚のフィルタを取り付けるものであるため、光波長帯域制限フィルタ１１を取り付けることができない。
このため、光波長帯域制限フィルタ１１を実装するには、例えば、筐体１もしくは光受信モジュール３に接着や溶接等の手段で固定する必要があるので、図２のフィルタホルダ２０は、光波長帯域制限フィルタ１１を実装する必要がある光送受信モジュールにはあまり適していない（図２のフィルタホルダ２０は、光波長帯域制限フィルタ１１を実装する必要がない光送受信モジュールに適している）。
これに対して、図３に示すフィルタホルダ２０は、４枚のフィルタを取り付けるものであり、光波長帯域制限フィルタ１１も取り付けることができるため、光波長帯域制限フィルタ１１を実装する必要がある光送受信モジュールに適している。
図３において、フィルタ取付面２６は光波長帯域制限フィルタ１１を取り付ける取付面である。
【００２６】
ここで、筐体１に対するフィルタホルダ２０の組み込み方法を説明する。
図４は筐体１に対するフィルタホルダ２０の組み込み方法を示す説明図であり、図５は真上から見たフィルタホルダ２０を示す説明図である。
図５において、面２７はフィルタホルダ２０に施されている光通路２４の端部である。
面２８はファイバフェルール５を挿入するための穴が施されているとともに光通路２５の端部である。
【００２７】
まず、筐体１の一つの面（図４の例では、筐体１の上面）には、筒状の穴１ａが施されており、また、筐体１の内部には、穴１ａの直径より一回り小さい同心円状の穴１ｂが施されている。ただし、穴１ａは、図４に示すように、下部ほど直径が小さく、傾斜部が施されている。
直径が異なる２つの穴１ａ，１ｂによって、筐体１の内部に段部が形成されるため、２つの穴１ａ，１ｂの形状は、概ねボルトに似たものとなる。
【００２８】
フィルタホルダ２０は、筐体１に施されている穴１ａ，１ｂに組み込むものであるため（図４の例では、筐体１の上部から下方向にフィルタホルダ２０を圧入している）、フィルタホルダ２０の形状は、２つの穴１ａ，１ｂの形状に合わせて形成されている。
即ち、フィルタホルダ２０の上部は、斜面構造を有する円盤形状をなしており、フィルタホルダ２０の下部は、筒形状をなしている。
【００２９】
筐体１に対するフィルタホルダ２０の圧入は、フィルタホルダ２０の上部を形成している円盤形状の下端部が、筐体１の内部の段部に当たる位置まで行われる。
即ち、フィルタホルダ２０の上部を形成している円盤形状の下端部が、筐体１の内部の段部に当たった位置で止まり、フィルタホルダ２０の位置が決まる。
【００３０】
また、フィルタホルダ２０の上部における円盤形状と、筐体１に施されている穴１ａには、図５に示すように、円周上の一部にＤカット（同一長さの直線部分）が設けられている。
このため、フィルタホルダ２０を筐体１に圧入する際、双方のＤカットが自然にならう位置で、互いの位置が決まるため、フィルタホルダ２０を高精度に筐体１に組み込むことができる。
また、フィルタホルダ２０の上部における円盤形状と、筐体１に施されている穴１ａには、上述したように、斜面部が施されているので、フィルタホルダ２０を筐体１に圧入する際、双方の傾斜部同士がならう位置で高精度に位置が決まる。
【００３１】
以上で明らかなように、この実施の形態１によれば、波長合分波フィルタ９，１０及び光波長帯域制限フィルタ１１，１２を取り付けるフィルタ取付面２１，２２，２６，２３が施され、かつ、そのフィルタ取付面に光信号を導く穴が施されているフィルタホルダ２０が筐体１に組み込まれ、その波長合分波フィルタ９，１０及び光波長帯域制限フィルタ１１，１２がフィルタホルダ２０に施されているフィルタ取付面２１，２２，２６，２３に取り付けられているように構成したので、各フィルタ間の相対位置が高精度に決まるようになり、その結果、複雑な平行光学系を用いることなく、また、拡散光学系において、高度な調芯技術を用いることなく、所望の光波長帯域制限性能を確保することができる効果を奏する。
【００３２】
即ち、この実施の形態１によれば、光ファイバ６により伝送される光信号と密接に関連する全てのフィルタが、１つのフィルタホルダ２０に取り付けられるため、各フィルタ間の相対角度の精度を高めることができる。
また、フィルタホルダ２０を筐体１に組み込むようにしているので、個々のフィルタと筐体１の関係で位置決め精度を高めるのではなく、１つのフィルタホルダ２０と筐体１の関係で位置決め精度を高めれば、各フィルタ間の相対位置が高精度に決まるとともに、各フィルタと光ファイバの相対位置が高精度に決まるようになる。
【００３３】
なお、この実施の形態１では、フィルタホルダ２０の上部における円盤形状と、筐体１に施されている穴１ａには、円周上の一部にＤカット（同一長さの直線部分）が設けられているものを示したが、Ｄカットの代わりに、フィルタホルダの円周上の一部に切り欠き部を設け、それと同一形状の突起部が筐体に設けられていてもよい。
この場合も、フィルタホルダ２０を筐体１に圧入する際、フィルタホルダの切り欠き部が自然にならう位置で、互いの位置が決まるため、フィルタホルダ２０を高精度に筐体１に組み込むことができる。
【００３４】
また、この実施の形態１では、筐体１の上面に穴１ａが施され、筐体１の内部に穴１ｂが施されているものを示したが、図６に示すように、筐体１の下面にも穴１ｃ（フィルタホルダ２０の下部における筒形状と嵌合する穴）を施すことで、フィルタホルダ２０が筐体１に圧入されたとき、フィルタホルダ２０の下部における筒形状が、筐体１の下面の穴１ｃと嵌合するようにしてもよい。
この場合、フィルタホルダ２０の軸の傾きを抑制することができる。
【００３５】
また、この実施の形態１では、フィルタホルダ２０を筐体１に圧入することで、フィルタホルダ２０を筐体１に組み込むものについて示したが、図７に示すように、筐体１に対するフィルタホルダ２０の位置決めをした後に、フィルタホルダ２０を筐体１にネジ止めするようにしてもよい。
また、このとき、筐体１に対するフィルタホルダ２０の高精度の位置決めを可能にするため、図８に示すように、筐体１に回転止めピン１ｄを設け、フィルタホルダ２０を筐体１に組み込む際、その回転止めピン１ｄでフィルタホルダ２０を固定する（フィルタホルダ２０に設けられている穴２０ａに回転止めピン１ｄを通す）ようにしてもよい。
【００３６】
この実施の形態１では、波長合分波フィルタ９，１０及び光波長帯域制限フィルタ１１，１２をフィルタホルダ２０のフィルタ取付面２１，２２，２６，２３に取り付けるものについて示したが、波長合分波フィルタ９，１０及び光波長帯域制限フィルタ１１，１２をフィルタ取付面２１，２２，２６，２３に取り付ける際、接着剤で固定する場合、接着剤の量が多すぎると、余剰の接着剤が光通路２４，２５を塞いでしまったり、フィルタが浮いてしまったりすることがある。
そこで、図９に示すように、フィルタホルダ２０のフィルタ取付面２１，２２，２６，２３に、さぐり部２９を設けておき、余剰の接着剤がさぐり部２９に流れ込むようにしてもよい。
余剰の接着剤がさぐり部２９に流れ込むことで、均一な接着厚を得ることができる。
【００３７】
この実施の形態１では、１個の光送信モジュールと２個の光受信モジュールが筐体１に実装されているものついて示したが、２個以上の光送信モジュールと３個以上の光受信モジュールが筐体１に実装されていてもよい。
なお、２個以上の光送信モジュールと３個以上の光受信モジュールが筐体１に実装される場合には、波長合分波フィルタ及び光波長帯域制限フィルタについても３個以上実装される。
【００３８】
この実施の形態１では、一つのフィルタホルダ２０を筐体１に組み込むものについて示したが、光送信モジュールや光受信モジュールの個数が増えた場合は、それに比例してフィルタの枚数も増える。
この場合、複数のフィルタホルダ２０を連結して、一体物として、筐体１に組み込むことで、この実施の形態１と同様の効果を奏することができる。
【００３９】
実施の形態２．
図１０及び図１１はこの発明の実施の形態２による光送受信モジュールの筐体１に組み込まれるフィルタホルダ２０を示す構成図であり、図において、図２及び図３と同一符号は同一又は相当部分を示すので説明を省略する。
ただし、図１０のフィルタホルダ２０は３枚のフィルタを取り付けるタイプであり、図１１のフィルタホルダ２０は４枚のフィルタを取り付けるタイプである。
【００４０】
凹部３１は少なくとも一辺の幅が、波長合分波フィルタ９の幅と同等であり、フィルタホルダ２０における波長合分波フィルタ９のフィルタ取付面２１に施されている。
凹部３２は少なくとも一辺の幅が、波長合分波フィルタ１０の幅と同等であり、フィルタホルダ２０における波長合分波フィルタ１０のフィルタ取付面２２に施されている。
凹部３３は少なくとも一辺の幅が、光波長帯域制限フィルタ１２の幅と同等であり、フィルタホルダ２０における光波長帯域制限フィルタ１２のフィルタ取付面２３に施されている。
凹部３４は少なくとも一辺の幅が、光波長帯域制限フィルタ１１の幅と同等であり、フィルタホルダ２０における光波長帯域制限フィルタ１１のフィルタ取付面２６に施されている。
【００４１】
上記実施の形態１では、波長合分波フィルタ９，１０及び光波長帯域制限フィルタ１１，１２をフィルタホルダ２０のフィルタ取付面２１，２２，２６，２３に取り付けるものについて示したが、図１０及び図１１に示すように、フィルタホルダ２０のフィルタ取付面２１，２２，２６，２３に、少なくとも一辺の幅が波長合分波フィルタ９，１０及び光波長帯域制限フィルタ１１，１２の幅と同等である凹部３１，３２，３４，３３を施すようにしてもよい。
【００４２】
フィルタホルダ２０のフィルタ取付面２１，２２，２６，２３に凹部３１，３２，３４，３３を施すことで、フィルタ取付面２１，２２，２６，２３に対する波長合分波フィルタ９，１０及び光波長帯域制限フィルタ１１，１２の位置決めが高精度になるため、各フィルタ間の相対位置が更に高精度に決まる。その結果、複雑な平行光学系を用いることなく、また、拡散光学系において、高度な調芯技術を用いることなく、所望の光波長帯域制限性能を確保することができる効果を奏する。
また、フィルタホルダ２０のフィルタ取付面２１，２２，２６，２３に凹部３１，３２，３４，３３を施すことで、筐体１に対する波長合分波フィルタ９，１０及び光波長帯域制限フィルタ１１，１２の取り付け位置が明確になるため、組立性が向上し、安価な光送受信モジュールを得ることができる。
【００４３】
この実施の形態２では、フィルタホルダ２０のフィルタ取付面２１，２２，２６，２３に凹部３１，３２，３４，３３が施されているものについて示したが、その凹部３１，３２，３４，３３の代わりに、少なくとも一辺の幅が波長合分波フィルタ９，１０及び光波長帯域制限フィルタ１１，１２の幅と同等である凸部をフィルタホルダ２０のフィルタ取付面２１，２２，２６，２３に施すようにしてもよい。
【手続補正２】
【補正対象書類名】特許請求の範囲
【補正対象項目名】全文
【補正方法】変更
【補正の内容】
【特許請求の範囲】
【請求項１】
第１波長帯の光信号を送信する光送信モジュールと、第２波長帯の光信号を受信する第１光受信モジュールと、第３波長帯の光信号を受信する第２光受信モジュールと、光ファイバと接続されているファイバフェルールと、上記光送信モジュールから送信された第１波長帯の光信号を上記ファイバフェルールの端面側へ透過させるとともに、上記ファイバフェルールの端面から出射された第２波長帯の光信号を透過させる一方、上記ファイバフェルール端面から出射された第３波長帯の光信号を上記第２光受信モジュール側へ反射させる第１波長合分波フィルタと、上記第１波長合分波フィルタと上記光送信モジュールの間に配置され、上記光送信モジュールから送信された第１波長帯の光信号を上記第１波長合分波フィルタ側へ透過させる一方、上記第１波長合分波フィルタを透過してきた第２波長帯の光信号を上記第１光受信モジュール側へ反射させる第２波長合分波フィルタと、上記第１波長合分波フィルタと上記第２光受信モジュールの間に配置される光波長帯域制限フィルタとを、一つの筐体に備える光送受信モジュールにおいて、上記筐体に組み込まれるフィルタホルダであって、上記第１波長合分波フィルタを取り付ける第１取付面、上記第２波長合分波フィルタを取り付ける第２取付面、及び上記光波長帯域制限フィルタを取り付ける第３取付面を有し、上記第１取付面と上記第２取付面とが当該両取付面に垂直な断面が略V字になるよう所定の角度で交わり、上記第３取付面が上記第１取付面の上記第２取付面と挟角をなす面の裏面側に位置するフィルタホルダを備えることを特徴とする光送受信モジュール。
【請求項２】
上記フィルタホルダにおける第１、第２、及び第３取付面それぞれに、光信号を導く光通路の端部が設けられていることを特徴とする請求項１記載の光送受信モジュール。
【請求項３】
上記筐体には、上記フィルタホルダを挿入するための筒状の穴が施されており、上記穴及び上記フィルタホルダの双方に、挿入する方向を軸とする回転方向の位置決め用として、相対する形状部分が設けられていることを特徴とする請求項１記載の光送受信モジュール。
【請求項４】
上記フィルタホルダにおける第１、第２、及び第３取付面に凹部又は凸部が施されており、上記凹部又は上記凸部の少なくとも一辺の幅が、当該取付面に取り付けられる上記第１波長合分波フィルタ、上記第２波長合分波フィルタ、又は上記光波長帯域制限フィルタの幅と同等であることを特徴とする請求項１記載の光送受信モジュール。
【手続補正書】
【提出日】平成22年7月2日(2010.7.2)
【手続補正１】
【補正対象書類名】明細書
【補正対象項目名】００１３
【補正方法】変更
【補正の内容】
【００１３】
この発明に係る光送受信モジュールは、第１波長帯の光信号を送信する光送信モジュールと、第２波長帯の光信号を受信する第１光受信モジュールと、第３波長帯の光信号を受信する第２光受信モジュールと、光ファイバと接続されているファイバフェルールと、上記光送信モジュールから送信された第１波長帯の光信号を上記ファイバフェルールの端面側へ透過させるとともに、上記ファイバフェルールの端面から出射された第２波長帯の光信号を透過させる一方、上記ファイバフェルール端面から出射された第３波長帯の光信号を上記第２光受信モジュール側へ反射させる第１波長合分波フィルタと、上記第１波長合分波フィルタと上記光送信モジュールの間に配置され、上記光送信モジュールから送信された第１波長帯の光信号を上記第１波長合分波フィルタ側へ透過させる一方、上記第１波長合分波フィルタを透過してきた第２波長帯の光信号を上記第１光受信モジュール側へ反射させる第２波長合分波フィルタと、上記第１波長合分波フィルタと上記第２光受信モジュールの間に配置される光波長帯域制限フィルタとを、一つの筐体に備える光送受信モジュールにおいて、上記筐体に組み込まれるフィルタホルダであって、上記第１波長合分波フィルタを取り付ける第１取付面、上記第２波長合分波フィルタを取り付ける第２取付面、及び上記光波長帯域制限フィルタを取り付ける第３取付面を有し、上記第１、上記第２、及び上記第３取付面それぞれに光信号の通る穴が施され、上記第１取付面と上記第２取付面とが当該両取付面に垂直な断面が略V字になるよう所定の角度で交わり、上記第３取付面が上記第１取付面の上記第２取付面と挟角をなす面の裏面側に位置するフィルタホルダを備えるようにしたものである。
【手続補正２】
【補正対象書類名】特許請求の範囲
【補正対象項目名】全文
【補正方法】変更
【補正の内容】
【特許請求の範囲】
【請求項１】
第１波長帯の光信号を送信する光送信モジュールと、第２波長帯の光信号を受信する第１光受信モジュールと、第３波長帯の光信号を受信する第２光受信モジュールと、光ファイバと接続されているファイバフェルールと、上記光送信モジュールから送信された第１波長帯の光信号を上記ファイバフェルールの端面側へ透過させるとともに、上記ファイバフェルールの端面から出射された第２波長帯の光信号を透過させる一方、上記ファイバフェルール端面から出射された第３波長帯の光信号を上記第２光受信モジュール側へ反射させる第１波長合分波フィルタと、上記第１波長合分波フィルタと上記光送信モジュールの間に配置され、上記光送信モジュールから送信された第１波長帯の光信号を上記第１波長合分波フィルタ側へ透過させる一方、上記第１波長合分波フィルタを透過してきた第２波長帯の光信号を上記第１光受信モジュール側へ反射させる第２波長合分波フィルタと、上記第１波長合分波フィルタと上記第２光受信モジュールの間に配置される光波長帯域制限フィルタとを、一つの筐体に備える光送受信モジュールにおいて、上記筐体に組み込まれるフィルタホルダであって、上記第１波長合分波フィルタを取り付ける第１取付面、上記第２波長合分波フィルタを取り付ける第２取付面、及び上記光波長帯域制限フィルタを取り付ける第３取付面を有し、上記第１、上記第２、及び上記第３取付面それぞれに光信号の通る穴が施され、上記第１取付面と上記第２取付面とが当該両取付面に垂直な断面が略V字になるよう所定の角度で交わり、上記第３取付面が上記第１取付面の上記第２取付面と挟角をなす面の裏面側に位置するフィルタホルダを備えることを特徴とする光送受信モジュール。
【請求項２】
上記筐体には、上記フィルタホルダを挿入するための筒状の穴が施されており、上記穴及び上記フィルタホルダの双方に、挿入する方向を軸とする回転方向の位置決め用として、相対する形状部分が設けられていることを特徴とする請求項１記載の光送受信モジュール。
【請求項３】
上記フィルタホルダにおける第１、第２、及び第３取付面に凹部又は凸部が施されており、上記凹部又は上記凸部の少なくとも一辺の幅が、当該取付面に取り付けられる上記第１波長合分波フィルタ、上記第２波長合分波フィルタ、又は上記光波長帯域制限フィルタの幅と同等であることを特徴とする請求項１記載の光送受信モジュール。
【国際調査報告】
2010140186.tif 000014
2010140186.tif 000015
2010140186.tif 000016
2010140186.tif 000017